(57)【要約】【課題】第１の状態ではプロテクタ全体の大きさを抑えることができ、また、第１の状態から中空針を収納する第２の状態にプロテクタを移動（回動）する際の操作が容易なプロテクタおよび中空針組立体を提供すること。【解決手段】プロテクタ１は、先端に鋭利な針先を有する中空針１１に装着して使用されるものである。プロテクタ１は、中空針１１の基端側に設置される筒状の固定部材２と、固定部材２に設置され、中空針１１の長手方向に沿って移動可能なスライド部材５と、スライド部材５に対して回動可能に支持されたカバー部材３とを備えている。スライド部材５は、固定部材２の内部に収納された第１の状態と、固定部材２から先端方向に突出させて中空針１１を収納する第２の状態とに移動可能である。また、カバー部材３は、スライド部材５が第２の状態のときに、スライド部材５に対して回動して、中空針１１の針先を覆う被覆状態となり得る。【選択図】図６
2008245854.tif 000002
【特許請求の範囲】
【請求項１】
先端に鋭利な針先を有する中空針に装着して使用されるプロテクタであって、
前記中空針の基端側に設置される筒状の固定部材と、
前記固定部材に設置され、前記中空針の長手方向に沿って移動可能なスライド部材と、
前記スライド部材に対して回動可能に支持されたカバー部材とを備え、
前記スライド部材は、前記固定部材の内部に収納された第１の状態と、前記固定部材から先端方向に突出させて前記中空針を収納する第２の状態とに移動可能であり、
前記カバー部材は、前記スライド部材が前記第２の状態のときに、前記スライド部材に対して回動して、前記中空針の前記針先を覆う被覆状態となり得ることを特徴とするプロテクタ。
【請求項２】
前記スライド部材が前記第１の状態のときに、前記カバー部材が前記スライド部材に対して回動することを抑制し、前記カバー部材を待機状態にする回動抑制手段を有する請求項１に記載のプロテクタ。
【請求項３】
前記回動抑制手段は、前記カバー部材を前記固定部材に係止する第１係合手段からなり、
前記カバー部材は、前記スライド部材が前記第１の状態のときに、前記第１係合手段により前記固定部材に係止され、前記待機状態が維持される請求項２に記載のプロテクタ。
【請求項４】
前記第１係合手段は、前記カバー部材の長手方向に沿って形成された溝部と、前記固定部材の外周部から突出し、前記溝部に対して摺動可能に係合された爪部とにより構成されている請求項３に記載のプロテクタ。
【請求項５】
前記溝部は、基端部に幅が拡大した拡幅部を有し、前記スライド部材が前記第２の状態のときに、前記拡幅部に前記爪部が位置し、前記カバー部材と前記固定部材との係合が解除されるように構成されている請求項４に記載のプロテクタ。
【請求項６】
前記爪部が前記拡幅部内に位置するように、前記スライド部材の先端方向への移動を規制する移動規制手段を有する請求項５に記載のプロテクタ。
【請求項７】
前記移動規制手段は、前記スライド部材を前記固定部材に係止する第２係合手段からなり、前記スライド部材が前記第２の状態のときに、前記拡幅部に前記爪部が位置し、前記カバー部材と前記固定部材との係合が解除されるように構成されている請求項６に記載のプロテクタ。
【請求項８】
前記スライド部材は、内部に前記中空針が挿通する筒状に形成されている請求項１ないし７のいずれかに記載のプロテクタ。
【請求項９】
前記カバー部材は、前記被覆状態において、前記中空針を介して対向する一対の壁部を有する請求項１ないし８のいずれかに記載のプロテクタ。
【請求項１０】
鋭利な針先を有する中空針と、
請求項１ないし９のいずれかに記載のプロテクタとを備えることを特徴とする中空針組立体。
【請求項１１】
前記固定部材は、内管および外管を有する二重管構造に形成されており、前記内管の内部に前記中空針の基端部が設置され、前記内管と前記外管との間に前記第１の状態の前記スライド部材が収納される請求項１０に記載の中空針組立体。
【請求項１２】
前記固定部材は、基端部にチューブが接続される接続部を有し、該接続部に接続された前記チューブが前記固定部材を介して前記中空針と連通するように構成されている請求項１０または１１に記載の中空針組立体。
【発明の詳細な説明】
【技術分野】
【０００１】
本発明は、採血針、注射針などの鋭利な針先を有する中空針に装着して使用されるプロテクタ、およびそれを備える中空針組立体に関する。
【背景技術】
【０００２】
供血者や患者に、採血や薬液を注入する際等には、医療用針（中空針）を供血者や患者の血管に穿刺して行なわれる。
【０００３】
そして、採血や薬液の注入が終了したときには、使用済の医療用針は、不要となるため廃棄される。このとき、医療用針は、例えば、特許文献１や特許文献２に記載されているプロテクタ（保護装置）に収納された状態で、廃棄される。
【０００４】
特許文献１に記載のプロテクタは、先端および基端に開口を有する筒体で構成されており、その内部に挿通されたチューブおよび医療用針の長手方向に沿って移動可能に設置されている。
【０００５】
このプロテクタは、医療用針を供血者や患者の血管に穿刺して採血や薬液の注入を行なうときには、医療用針の基端側に退避した第１の状態となり、また、採血や薬液の注入が終了した後は、第１の状態から先端方向に移動し、医療用針を収納した第２の状態となるように構成されている。
【０００６】
しかしながら、特許文献１に記載のプロテクタは、医療用針（中空針）の全長が長ければ長い程、これに伴って全長が長くなってしまう。また、医療用針よりも十分に全長を長くしないと、プロテクタを第２の状態にした後に、医療従事者や廃棄作業者が誤って針先で指等を刺してしまう可能性がある。また、プロテクタの全長が長くなると、第１の状態から第２の状態にプロテクタを移動する距離が長くなり、操作が行ない難くなる。
【０００７】
一方、特許文献２に記載のプロテクタは、医療用針に対して回動可能に支持されており、医療用針を供血者や患者の血管に穿刺して採血や薬液の注入を行なうときには、医療用針の基端側に退避した第１の状態となり、また、採血や薬液の注入が終了した後は、第１の状態から回動して、医療用針を覆う第２の状態となるように構成されている。
【０００８】
このプロテクタは、第２の状態としたときに、医療用針の針先を覆うことができるので、第２の状態にした後は、医療従事者や廃棄作業者が誤って針先で指等を刺してしまう可能性を低減することができる。
【０００９】
しかしながら、特許文献２に記載のプロテクタも、医療用針（中空針）の全長が長ければ長い程、これに伴って全長が長くなってしまう。また、プロテクタの全長が長くなると、医療用針（中空針）を穿刺する際に邪魔になったり、第１の状態から第２の状態にプロテクタを回動する操作が行い難くなる。
【００１０】
このように、使用済の医療用針を破棄処理する際には、誤って針先で指等を刺してしまうことがないように細心の注意が必要であるが、従来のプロテクタは、操作が容易とは言えず、多大な手間を要するという問題があった。
【００１１】
【特許文献１】特許第３５７８４５９号公報
【特許文献２】特開２０００−１４０１１０号公報
【発明の開示】
【発明が解決しようとする課題】
【００１２】
本発明の目的は、医療用針（中空針）を供血者や患者の血管に穿刺して採血や薬液の注入を行なうときの第１の状態では、プロテクタ全体の大きさを抑えることができ、また、採血や薬液の注入が終了した後に、第１の状態から医療用針（中空針）を収納する第２の状態にプロテクタを移動（回動）する際の操作が容易なプロテクタおよび中空針組立体を提供することにある。
【課題を解決するための手段】
【００１３】
このような目的は、下記（１）〜（１２）の本発明により達成される。
（１）  先端に鋭利な針先を有する中空針に装着して使用されるプロテクタであって、
前記中空針の基端側に設置される筒状の固定部材と、
前記固定部材に設置され、前記中空針の長手方向に沿って移動可能なスライド部材と、
前記スライド部材に対して回動可能に支持されたカバー部材とを備え、
前記スライド部材は、前記固定部材の内部に収納された第１の状態と、前記固定部材から先端方向に突出させて前記中空針を収納する第２の状態とに移動可能であり、
前記カバー部材は、前記スライド部材が前記第２の状態のときに、前記スライド部材に対して回動して、前記中空針の前記針先を覆う被覆状態となり得ることを特徴とするプロテクタ。
【００１４】
（２）  前記スライド部材が前記第１の状態のときに、前記カバー部材が前記スライド部材に対して回動することを抑制し、前記カバー部材を待機状態にする回動抑制手段を有する上記（１）に記載のプロテクタ。
【００１５】
（３）  前記回動抑制手段は、前記カバー部材を前記固定部材に係止する第１係合手段からなり、
前記カバー部材は、前記スライド部材が前記第１の状態のときに、前記第１係合手段により前記固定部材に係止され、前記待機状態が維持される上記（２）に記載のプロテクタ。
【００１６】
（４）  前記第１係合手段は、前記カバー部材の長手方向に沿って形成された溝部と、前記固定部材の外周部から突出し、前記溝部に対して摺動可能に係合された爪部とにより構成されている上記（３）に記載のプロテクタ。
【００１７】
（５）  前記溝部は、基端部に幅が拡大した拡幅部を有し、前記スライド部材が前記第２の状態のときに、前記拡幅部に前記爪部が位置し、前記カバー部材と前記固定部材との係合が解除されるように構成されている上記（４）に記載のプロテクタ。
【００１８】
（６）  前記爪部が前記拡幅部内に位置するように、前記スライド部材の先端方向への移動を規制する移動規制手段を有する上記（５）に記載のプロテクタ。
【００１９】
（７）  前記移動規制手段は、前記スライド部材を前記固定部材に係止する第２係合手段からなり、前記スライド部材が前記第２の状態のときに、前記拡幅部に前記爪部が位置し、前記カバー部材と前記固定部材との係合が解除されるように構成されている上記（６）に記載のプロテクタ。
【００２０】
（８）  前記スライド部材は、内部に前記中空針が挿通する筒状に形成されている上記（１）ないし（７）のいずれかに記載のプロテクタ。
【００２１】
（９）  前記カバー部材は、前記被覆状態において、前記中空針を介して対向する一対の壁部を有する上記（１）ないし（８）のいずれかに記載のプロテクタ。
【００２２】
（１０）  鋭利な針先を有する中空針と、
上記（１）ないし（９）のいずれかに記載のプロテクタとを備えることを特徴とする中空針組立体。
【００２３】
（１１）  前記固定部材は、内管および外管を有する二重管構造に形成されており、前記内管の内部に前記中空針の基端部が設置され、前記内管と前記外管との間に前記第１の状態の前記スライド部材が収納される上記（１０）に記載の中空針組立体。
【００２４】
（１２）  前記固定部材は、基端部にチューブが接続される接続部を有し、該接続部に接続された前記チューブが前記固定部材を介して前記中空針と連通するように構成されている上記（１０）または（１１）に記載の中空針組立体。
【発明の効果】
【００２５】
本発明によれば、中空針を供血者や患者の血管に穿刺して採血や薬液の注入を行なうときには、スライド部材は、固定部材の内部に収納された第１の状態であるので、プロテクタ全体の大きさ（全長）を抑えることができる。これにより、中空針を穿刺する際に、プロテクタが邪魔にならず、操作が容易となる。
【００２６】
また、スライド部材を固定部材から突出させて中空針を収納し、カバー部材をスライド部材に対して回動することにより、採血や薬液の注入が終了した後に、第１の状態から中空針を収納するとともに、中空針の針先を覆う第２の状態（被覆状態）にすることができる。これにより、プロテクタの移動および回動を最小限にすることができるので、操作が行ない易くなる。
【００２７】
また、回動抑制手段（第１係合手段）を有する場合には、不用意に、カバー部材が回動したり、スライド部材が固定部材から突出したりすることを抑制または防止することができるので、確実に、スライド部材が固定部材の内部に収納され、かつ、カバー部材が固定部材に係止された待機状態を保持することができる。これにより、中空針を穿刺する際に、プロテクタが邪魔にならず、操作が容易となる。
【発明を実施するための最良の形態】
【００２８】
以下、本発明のプロテクタおよび中空針組立体を添付図面に示す好適な実施形態に基づいて詳細に説明する。
図１は、本発明のプロテクタ（中空針組立体）の実施形態を示す斜視図（第１の状態を示す図）、図２は、図１に示すプロテクタの縦断面図、図３は、図１に示すプロテクタの爪部付近の拡大詳細図、図４は、図１に示すプロテクタを矢印Ａ側から見た図、図５および図６は、それぞれ、図１に示すプロテクタが第２の状態を経て被覆状態に変化する過程を順に示す斜視図である。なお、以下では、説明の都合上、図１中の右上側を「基端」、左下側を「先端」と言う。また、図２、図５および図６中の右側を「基端」、左側を「先端」と言う。
【００２９】
各図に示すように、本発明のプロテクタ１は、中空針（針管）１１に装着して使用されるものである。また、この装着状態となっているプロテクタ１と中空針１１とを「中空針組立体１０」と言う。
【００３０】
この中空針１１は、例えば採血や薬液の注入の際に、供血者や患者の血管に穿刺して使用されるものである。中空針１１は、例えば、ステンレス鋼のような金属材料で構成され、その先端には、鋭利な針先（刃先）１２が形成されている。この針先１２の形状は特に限定されず、本実施形態では、中空針１１の軸線に対し所定角度傾斜した刃面１３を有する形状をなしている。
【００３１】
図１に示すプロテクタ１は、円筒状の固定部材２と、固定部材２と同心的に配置された筒状のスライド部材５と、スライド部材５に対して回動可能に支持されたカバー部材３とを備えている。このプロテクタ１（中空針組立体１０）では、スライド部材５が固定部材２の内部に収納された第１の状態（図１参照）と、固定部材２から先端方向に突出させて中空針１１の基端部を収納する第２の状態（図５、図６参照）とを取り得る。図１に示すように、スライド部材５が第１の状態のとき、カバー部材３が中空針１１から離間して針先１２が露出している。また、このとき、カバー部材３は、その回動が抑制され、待機状態となっている。また、図５、図６に示すように、スライド部材５が第２の状態のとき、カバー部材３が回動して中空針１１に接近することができ、中空針１１の針先１２からその途中までを覆っている。以下、このカバー部材３が中空針１１の針先１２を覆っている状態を「被覆状態」と言う。
【００３２】
以下、各部の構成について説明する。
図２に示すように、固定部材２は、二重管構造をなしており、内管２１と外管２２とを有している。図１、図２に示すように、内管２１の先端部２１３は、外管２２の先端部２２１よりも先端側に位置している。
【００３３】
内管２１には、その先端から途中（接続部２１１の先端側近傍）まで、中空針１１の基端部が嵌入されて（挿入されて）おり、当該中空針１１に固定される。内管２１では、中空針１１が嵌入している部分が固定部２１２として機能している。
【００３４】
また、内管２１（固定部２１２）の基端部は、外径が縮径しており、チューブ１７が液密に接続される接続部２１１を構成している。接続部２１１に接続されたチューブ１７は、内管２１（固定部材２）を介して中空針１１と連通している（図２参照）。これにより、中空針１１からチューブ１７へ、またはチューブ１７から中空針１１への液体（例えば輸液や血液）の通過が可能となる。また、チューブ１７の基端部は、例えば中空針１１を輸液に用いる場合には輸液バッグを有する輸液回路の一部に接続され、中空針１１を採血に用いる場合には採血バッグを有する採血器具や血液分離器を有する採血回路の一部に接続されている。チューブ１７の構成材料としては、特に限定されないが、例えば、ポリ塩化ビニル、ポリブタジエン等が挙げられる。
【００３５】
外管２２は、内管２１の外周側に同心的に配置されている。外管２２と固定部２１２との間には、間隙２３が形成されている。第１の状態では、この間隙２３に、スライド部材５が収納される。これにより、第１の状態で穿刺操作を行なう際に、スライド部材５が邪魔になるのが確実に防止され、よって、その操作が容易となる。
【００３６】
外管２２（固定部材２）の外周部には、爪部（第１係合手段（回動抑制手段））２４が突出形成されている。この爪部２４は、カバー部材３の後述する溝部（第１係合手段（回動抑制手段））３１に対して摺動する部位である。図３に示すように、爪部２４は、外管２２の外周部から立設した支持部２４１と、支持部２４１の頂部から外管２２の外周部の周方向に向かって突出した突出片２４２とで構成されている。このように、爪部２４は、それを先端側から見たとき、逆Ｌ字状をなすものである。
【００３７】
また、図２、図４に示すように、外管２２の外周部には、爪部２４と反対側の部分に、軸方向に沿って開口したガイド溝２５（第２係合手段（移動規制手段））が形成されている。このガイド溝２５には、スライド部材５の後述する突部５１（第２係合手段（移動規制手段））が挿入される。スライド部材５が移動する際には、突部５１がガイド溝２５によって案内されることとなり、スライド部材５の移動が円滑に行なわれる。これにより、プロテクタ１を第１の状態から第２の状態へ変化させる際の操作性が向上する。
【００３８】
また、ガイド溝２５にスライド部材５の突部５１が挿入されていることにより、スライド部材５の軸周りの回転が規制される。これにより、スライド部材５の固定部材２に対する周方向の位置決めがなされる。プロテクタ１では、固定部材２のガイド溝２５とスライド部材５の突部５１とにより、スライド部材５の軸周りの回転を規制する回転規制手段が構成されている。
【００３９】
また、ガイド溝２５の一方の壁部の先端部２５１側近傍には、他方の壁部に向かって滑らかに隆起したストッパ部２５２が設けられている。スライド部材５が先端方向へ移動した際に、突部５１がストッパ部２５２を乗り越える。これにより、スライド部材５が基端側に戻るのを防止する、すなわち、スライド部材５を固定部材２に対して仮固定（仮に保持）することができる。カバー部材３を回動操作しようとしたときに、スライド部材５が基端側に戻ってしまうとカバー部材３が中空針１１を覆うのが不可能となるが、仮固定されているため、このような不具合を確実に防止することができる。また、突部５１がストッパ部２５２を乗り越えたときに、クリック感が得られる。これにより、カバー部材３を回動操作してもよいと言うことを確認することができ、よって、安心して回動操作することができる。
【００４０】
固定部材２の構成材料としては、特に限定されないが、例えば、ポリエチレン、ポリプロピレン、エチレン−酢酸ビニル共重合体等のポリオレフィン、ポリカーボネート等の各種樹脂材料が挙げられる。
【００４１】
固定部材２には、内側に中空針１１が挿通する円筒状のスライド部材５が同心的に配置されている。このスライド部材５は、固定部材２の間隙２３に対して出没自在、すなわち、固定部材２に対してその軸方向（中空針１１の長手方向）に沿って移動可能に設置されている。
【００４２】
このようにスライド部材５が設置されていることにより、固定部材２の間隙２３に収納されているスライド部材５を先端方向に引張りさえすれば、当該スライド部材５を先端方向に容易かつ確実に移動させることができ、よって、固定部材２から突出させることができる。また、固定部材２から突出したスライド部材５を基端方向に押圧しさえすれば、当該スライド部材５を基端方向に確実に移動させることができ、よって、固定部材２内に収納することができる。
【００４３】
スライド部材５の外周部には、固定部材２のガイド溝２５に対応する位置に、突部５１が突出形成されている。図２に示す状態（第１の状態）からスライド部材５が先端方向へ移動すると、突部５１がガイド溝２５沿って移動し、遂には、ガイド溝２５の先端部２５１に係止する（当接する）。これにより、スライド部材５の突出限界、すなわち、スライド部材５の先端方向への移動（移動限界）が規制され、よって、当該スライド部材５が不本意に固定部材２から離脱するのが防止される。プロテクタ１では、スライド部材５の突部５１と、固定部材２のガイド溝２５の先端部２５とにより、スライド部材５の先端方向への移動を規制する第２係合手段（移動規制手段）が構成されている。
【００４４】
なお、スライド部材５（カバー部材３も同様）の構成材料としては、特に限定されないが、例えば、固定部材２の構成材料と同様のものを用いることができる。
【００４５】
スライド部材５の外周部の先端部には、回動支持部４を介して、カバー部材３が設置されている。図６に示すように、カバー部材３は、スライド部材５が第２の状態にあるときに、中空針１１の針先１２とその基端側近傍とを覆う部材である。
【００４６】
なお、本実施形態では、回動支持部４は、スライド部材５の外周部に設けられた軸５２と、カバー部材３の端部に設けられ、軸５２を支持する軸受け３２とで構成されている。
【００４７】
カバー部材３は、長尺な板片で構成されている。このカバー部材３は、軸受け３２と反端側の端部が湾曲した湾曲部３３と、縁部に沿って立設した対向する一対の壁部３４ａ、３４ｂとを有している。これにより、湾曲部３３と壁部３４ａおよび３４ｂとで囲まれた空間３５が形成される。図６に示すように、被覆状態では、この空間３５内に針先１２が収納される。これにより、針先１２による誤穿刺を確実に防止することができる。
【００４８】
また、図２に示すように、第１の状態で、カバー部材３の湾曲部３３と固定部材２との間に空間３６が形成される。カバー部材３を回動させる際には、空間３６に指を入れ、その指を湾曲部３３に掛けることにより、その回動操作を容易に行なうことができる。
【００４９】
また、湾曲部３３は、被覆状態で、中空針１１の刃面１３に対向する。これにより、例えば刃面１３に血液が付着している場合、湾曲部３３により前記血液の飛散を確実に防止することができる。
【００５０】
プロテクタ１では、中空針１１の第１の状態で露出する部分の長さＬ１（図１参照）と、第２の状態（被覆状態）でのスライド部材５の突出長さＬ２とカバー部材３の長さＬ３との合計長さＬ４（図６参照）との関係は、Ｌ１＜Ｌ４となっている。また、Ｌ１＞Ｌ２、Ｌ１＞Ｌ３となっている。
【００５１】
また、カバー部材３は、板片状をなしているため、第１の状態で穿刺操作を行なう際に、カバー部材３が邪魔になるのが確実に防止され、よって、その操作が容易となる。
【００５２】
カバー部材３には、その長手方向に沿って開口した溝部３１が形成されている。図１に示すように、第１の状態では、溝部３１には、固定部材２の爪部２４が挿入され、縁部に係合している。
【００５３】
この溝部３１は、その湾曲部３３側の端部（基端部）に、幅が拡大した拡幅部３１１を有している。拡幅部３１１の幅は、爪部２４の突出片２４２の幅よりも大きく設定されている。また、溝部３１の拡幅部３１１を除く部分（以下、この部分を「狭幅部３１２」と言う）の幅は、爪部２４の突出片２４２の幅よりも小さいが、支持部２４１の幅とほぼ同等またはそれより若干大きく設定されている。
【００５４】
図１に示すように、第１の状態では、固定部材２の爪部２４は、カバー部材３の狭幅部３１２に位置している。この状態で、カバー部材３を回動させようとしても、爪部２４が狭幅部３１２の縁部に係止する（係合する）ため、カバー部材３の回動が抑制（禁止）される。これにより、カバー部材３の待機状態が保持される。
【００５５】
プロテクタ１では、固定部材２の爪部２４と、カバー部材３の溝部３１とにより、スライド部材５が第１の状態のときに、カバー部材３がスライド部材５に対して回動することを抑制する第１係合手段（回動抑制手段）が構成されている。
【００５６】
ここで、仮に第１の状態でカバー部材３が回動したとしても、前述したようにＬ１＞Ｌ３となっているため、カバー部材３のみで中空針１１を覆うのは不可能である。また、回動したカバー部材３で中空針１１を不本意に屈曲させて（変形させて）しまうおそれがある。
【００５７】
図１に示す状態から、スライド部材５を先端方向に移動操作すると、固定部材２の爪部２４は、カバー部材３の狭幅部３１２の縁部に係合しつつ、当該狭幅部３１２に対して摺動する。そして、遂には、爪部２４は、狭幅部３１２を脱して、拡幅部３１１内に移動する（図５参照）。プロテクタ１では、爪部２４が狭幅部３１２を脱するまでの間、前述したようにカバー部材３の回動が禁止されている。
【００５８】
図５に示すように、拡幅部３１１内に爪部２４が位置したとき、拡幅部３１１の幅は爪部２４（突出片２４２）の幅よりも大きいため、爪部２４と溝部３１（狭幅部３１２）の縁部との係合が解除される。これにより、カバー部材３が回動可能となる（図６参照）。
【００５９】
また、固定部材２のガイド溝２５の先端部２５１の位置は、爪部２４が拡幅部３１１内に位置した際に、スライド部材５の突部５１が当接するように設定されている。これにより、爪部２４と溝部３１の縁部との係合が確実に解除される。
【００６０】
前述したように、カバー部材３のみでは、その長さＬ３が中空針１１の長さＬ１よりも短い、すなわち、長さＬ３が不足しているため、たとえカバー部材３を回動させたとしても、中空針１１の針先１２までを覆うことができない。しかしながら、プロテクタ１では、その不足分を、固定部材２から突出したスライド部材５で補完することができるため、回動したカバー部材３が、中空針１１の針先１２までを確実に覆うことができる。
【００６１】
このように、プロテクタ１では、スライド部材５の移動操作、カバー部材３の回動操作を順に行なうという簡単な操作で、プロテクタ１を第１の状態から第２の状態へ、さらに被覆状態へ容易に変形させることができる。
【００６２】
また、プロテクタ１では、被覆状態で中空針１１を覆う機能を有する部分が２つの部材、すなわち、スライド部材５およびカバー部材３で構成されている。第１の状態では、スライド部材５は固定部材２に収納され、カバー部材３は固定部材２側に折り畳まれている。これにより、第１の状態でのプロテクタ１全体の大きさを抑えることができ、よって、穿刺操作を行なう際の操作性が向上する。
【００６３】
また、第１の状態でカバー部材３の溝部３１の縁部と固定部材２の爪部２４とが係合しているため、スライド部材５がその軸周りに回転するのが規制される。これにより、固定部材２のガイド溝２５とスライド部材５の突部５１と同様に、スライド部材５の固定部材２に対する周方向の位置決めを行なうことができる。プロテクタ１では、カバー部材３の溝部３１と固定部材２の爪部２４とによっても、スライド部材５の軸周りの回転を規制する回転規制手段が構成されていると言うことができる。
【００６４】
次に、プロテクタ１および中空針組立体１０の使用方法の一例について説明する。なお、ここでは、供血者から採血を行なう場合について説明する。
【００６５】
［１］  最初に、中空針組立体（採血針組立体）１０を用意する。すなわち、プロテクタ１を中空針（採血針）１１に装着するとともに、固定部材２に設けられた接続部２１１に採血バッグに連通するチューブ１７を接続して、チューブ１７が固定部材２を介して、中空針１１と連通した状態としたものを用意する。
【００６６】
このとき、プロテクタ１は、第１の状態（待機状態）となっている。また、中空針１１には、キャップが装着されている。
【００６７】
［２］  次に、中空針１１からキャップを取り外して、中空針組立体１０を図１に示す状態とする。この状態で、供血者の血管に中空針１１を穿刺して採血を行なう。
【００６８】
［３］  採血の終了後、供血者の血管から中空針１１を抜く。そして、プロテクタ１のスライド部材５を固定部材２から先端方向に突出（移動）させて中空針１１を収納し、第２の状態とする（図５参照）。
【００６９】
このとき、スライド部材５が固定部材２から突出するのに伴って、固定部材２の爪部２４が、カバー部材３の溝部３１に沿って狭幅部３１２から拡幅部３１１に移動する。これにより、爪部２４と溝部３１との係合が解除され、カバー部材３がスライド部材５に対して回動し得る状態となる。
【００７０】
また、これと同時に、スライド部材５の突部５１が、固定部材２のガイド溝２５に沿って移動し、突部５１がガイド溝２５の先端部２５１に当接する。これにより、スライド部材５の先端方向への移動が規制される。
【００７１】
［４］  次に、カバー部材３をスライド部材５に対して回動させる。これにより、カバー部材３により中空針１１の針先１２を覆った状態（被覆状態）とする（図６参照）。
【００７２】
［５］  次に、チューブ１７の所定箇所をチューブシーラー等を用いて融着し、切断することにより、中空針組立体１０を採血バッグから切り離す。そして、プロテクタ１が中空針１１に装着された状態のまま、中空針組立体１０を廃棄処理する。
【００７３】
以上、本発明のプロテクタおよび中空針組立体を図示の実施形態について説明したが、本発明は、これに限定されるものではなく、プロテクタおよび中空針組立体を構成する各部は、同様の機能を発揮し得る任意の構成のものと置換することができる。また、任意の構成物が付加されていてもよい。
【００７４】
また、カバー部材は、板片状の形状に限定されず、例えば、円弧状の形状であってもよい。
【００７５】
また、カバー部材の溝部および固定部材のガイド溝は、開口していなくてもよく、それぞれ、固定部材の爪部、スライド部材の突部が係合することができる構成であればよい。
【００７６】
また、スライト部材およびカバー部材には、これらのうちの一方に設けられた凹部と、他方に設けられ、被覆状態で前記凹部に係合する凸部とが配置されていてもよい。これにより、被覆状態で針体が不本意に露出するのを確実に防止することができる。
【図面の簡単な説明】
【００７７】
【図１】本発明のプロテクタ（中空針組立体）の実施形態を示す斜視図（第１の状態を示す図）である。
【図２】図１に示すプロテクタの縦断面図である。
【図３】図１に示すプロテクタの爪部付近の拡大詳細図である。
【図４】図１に示すプロテクタを矢印Ａ側から見た図である。
【図５】図１に示すプロテクタが第２の状態を経て被覆状態に変化する過程を順に示す斜視図である。
【図６】図１に示すプロテクタが第２の状態を経て被覆状態に変化する過程を順に示す斜視図である。
【符号の説明】
【００７８】
１            プロテクタ
２            固定部材
２１          内管
２１１        接続部
２１２        固定部
２１３        先端部
２２          外管
２２１        先端部
２３          間隙
２４          爪部（第１係合手段（回動抑制手段））
２４１        支持部
２４２        突出片
２５          ガイド溝（第２係合手段（移動規制手段））
２５１        先端部
２５２        ストッパ部
３            カバー部材
３１          溝部（第１係合手段（回動抑制手段））
３１１        拡幅部
３１２        狭幅部
３２          軸受け
３３          湾曲部
３４ａ、３４ｂ  壁部
３５、３６    空間
４            回動支持部
５            スライド部材
５１          突部（第２係合手段（移動規制手段））
５２          軸
１０          中空針組立体
１１          中空針（針管）
１２          針先
１３          刃面
１７          チューブ
Ｌ１、Ｌ２、Ｌ３、Ｌ４  長さ
【図１】
2008245854.tif 000003
【図２】
2008245854.tif 000004
【図３】
2008245854.tif 000005
【図４】
2008245854.tif 000006
【図５】
2008245854.tif 000007
【図６】
2008245854.tif 000008